(57)【特許請求の範囲】
【請求項１】
車両のフロントガラスの上部に入射する太陽光を遮蔽可能なように、車室内の天井にスライド可能に設けられたスライド式バイザと、
前記スライド式バイザを収納位置からスライド駆動させる駆動手段と、
検知エリア内に、運転者の体の一部が差し出されたとき、それを非接触にて検知する非接触式センサと、
前記非接触式センサが、運転者の体の一部が検知エリア内に差し出されたことを検知したことに基づいて、前記駆動手段によって前記スライド式バイザをスライド駆動させる制御手段と、
前記車両において、太陽光が、前記フロントガラスの上部に入射される状況であるか否かを判定する判定手段と、
前記判定手段によって、太陽光が前記フロントガラスの上部に入射される状況であると判定された場合、そのような状況ではないと判定された場合に比較して、前記非接触式センサの検知エリアを大きくするエリア可変手段とを備えることを特徴とするバイザ制御装置。
【請求項２】
前記非接触式センサは、車室内のルーフライニングに設けられるものであり、
前記エリア可変手段は、太陽光が前記フロントガラスの上部に入射される状況であると判定された場合に、運転者の運転に関する操作を除いて、運転者の手が差し出されたことを検知することができるまで、前記非接触式センサの検知エリアを大きくすることを特徴とする請求項１に記載のバイザ制御装置。
【請求項３】
前記判定手段は、
前記車両の現在位置、及び進行方向を示す方位を含む車両位置情報を検出する車両位置情報検出手段と、
日付及び時刻に応じて変化する太陽位置を表わす太陽位置情報が記憶されている太陽位置情報記憶手段と、
前記太陽位置情報記憶手段から現在の日付及び時刻に対応した太陽位置情報を抽出し、抽出された太陽位置情報と前記車両位置情報とに基づき、車両に対する太陽光の入射方向を算出する入射方向算出手段とを有し、
前記算出された入射方向に基づいて、太陽光が、前記フロントガラスの上部に入射される状況であるか否かを判定することを特徴とする請求項１または請求項２に記載のバイザ制御装置。
【請求項４】
日射量を検出する日射センサと、
前記検出された日射量が所定量以下である場合、前記エリア可変手段に対して、前記非接触式センサの検知エリアを大きくすることを中止させる中止手段とを備えることを特徴とする請求項１乃至請求項３のいずれかに記載のバイザ制御装置。
【請求項５】
前記エリア可変手段によって前記非接触式センサの検知エリアを大きくしてからの経過時間をカウントするカウント手段を備え、
前記カウントされた経過時間が所定時間に達した場合、前記エリア可変手段は、前記非接触式センサの検知エリアを小さくすることを特徴とする請求項１乃至請求項４のいずれかに記載のバイザ制御装置。
【請求項６】
前記エリア可変手段は、前記非接触式センサの検知エリアを徐々に小さくすることを特徴とする請求項５に記載のバイザ制御装置。
【請求項７】
前記所定時間は、運転者によって変更可能に構成されていることを特徴とする請求項５または請求項６に記載のバイザ制御装置。
【請求項８】
前記非接触式センサの検知エリアの大きさは、運転者によって変更可能に構成されていることを特徴とする請求項１乃至請求項７のいずれかに記載のバイザ制御装置。
【請求項９】
前記車両の走行時に、前記駆動手段によって前記スライド式バイザがスライド駆動された時点において、当該車両が走行する道路を記憶する記憶手段を備え、
前記記憶手段に記憶されている道路に基づいて、前記スライド式バイザをスライド駆動させる頻度の高い道路とみなされる場合、太陽光が前記フロントガラスの上部に入射される状況であると判定された場合と比べて、前記所定時間を長く、かつ／または前記非接触式センサの検知エリアを更に大きくすることを特徴とする請求項５乃至請求項８のいずれかに記載のバイザ制御装置。
【請求項１０】
前記エリア可変手段によって前記非接触式センサの検知エリアが大きくされた場合、前記非接触式センサの検知エリアが大きくなっている旨を報知する報知手段を備えることを特徴とする請求項１乃至請求項９のいずれかに記載のバイザ制御装置。
【請求項１１】
前記非接触式センサの位置は、運転者によって移動可能に構成されていることを特徴とする請求項１乃至請求項１０のいずれかに記載のバイザ制御装置。
【請求項１２】
前記非接触式センサは、赤外線センサまたは超音波センサのいずれかであることを特徴とする請求項１乃至請求項１１のいずれかに記載のバイザ制御装置。
【請求項１３】
前記駆動手段によって前記スライド式バイザが収納位置からスライド駆動された場合、当該スライド式バイザは、運転者によって収納位置に戻されることを特徴とする請求項１乃至請求項１２のいずれかに記載のバイザ制御装置。
【発明の詳細な説明】
【技術分野】
【０００１】
本発明は、バイザ制御装置に関する。
【背景技術】
【０００２】
従来、サンバイザの操作を容易化するサンバイザ装置が提案されている（例えば、特許文献１参照。）この特許文献１に開示されているサンバイザ装置によれば、屋根外板と天井部との間に空間を形成する。空間内にレールを配設する。レールにバイザを支持する。光センサの検出または手動スイッチの操作に基づき、駆動装置を駆動して、バイザを前後方向にスライドさせる。前方向にスライドさせると、バイザは天井部の前端の開口部から排出されて、フロントウインドウの手前に配置されて、使用時の状態となる。後方向にスライドさせると、バイザは天井部の空間内に収納された状態となる。
【０００３】
具体的には、車両前方からの光を受光する光センサを用いて、この光センサにより設定値を超える光強度が検出されると、サンバイザが自動的に排出され、この光センサにより設定値以下の光強度が検出されると、サンバイザが自動的に収納される。
【特許文献１】特開平１１−１７０８６４号公報
【発明の開示】
【発明が解決しようとする課題】
【０００４】
上述したように、従来の装置では、光センサが受光した車両前方からの光の光強度に基づいて、サンバイザが自動的に排出または収納された。
【０００５】
このため、運転者が眩しくないと感じたにも関わらず、光センサが受光した車両前方からの光の光強度が設定値を超えた場合、サンバイザが自動的に排出されてしまうことがあった。すなわち、運転者の意思を問わず、サンバイザが自動的に排出されてしまうことがあった。
【０００６】
本発明は、上述した点に鑑みてなされたもので、運転者の意思を考慮するとともに、容易に、スライド式バイザを収納位置からスライド駆動させることが可能なバイザ制御装置を提供することを目的とする。
【課題を解決するための手段】
【０００７】
上記目的を達成するために、請求項１に記載のバイザ制御装置は、
車両のフロントガラスの上部に入射する太陽光を遮蔽可能なように、車室内の天井にスライド可能に設けられたスライド式バイザと、
スライド式バイザを収納位置からスライド駆動させる駆動手段と、
検知エリア内に、運転者の体の一部が差し出されたとき、それを非接触にて検知する非接触式センサと、
非接触式センサが、運転者の体の一部が検知エリア内に差し出されたことを検知したことに基づいて、駆動手段によってスライド式バイザをスライド駆動させる制御手段と、
車両において、太陽光が、フロントガラスの上部に入射される状況であるか否かを判定する判定手段と、
判定手段によって、太陽光がフロントガラスの上部に入射される状況であると判定された場合、そのような状況ではないと判定された場合に比較して、非接触式センサの検知エリアを大きくするエリア可変手段とを備えることを特徴とする。
【０００８】
上述したように、請求項１に記載のバイザ制御装置では、非接触式センサが、運転者の体の一部が検知エリア内に差し出されたことを検知したことに基づいて、スライド式バイザを収納位置からスライド駆動させる。そして、太陽光が、フロントガラスの上部に入射される状況である場合、そのような状況ではない場合に比較して、非接触式センサの検知エリアを大きくする。この結果、非接触式センサの大きい検知エリアに、運転者の体の一部を差し出すことによって、スライド式バイザを収納位置からスライド駆動させることができる。これにより、運転者の意思を考慮するとともに、容易に、スライド式バイザを収納位置からスライド駆動させることができる。
【０００９】
請求項２に記載したように、非接触式センサは、車室内のルーフライニングに設けられるものであり、エリア可変手段は、太陽光がフロントガラスの上部に入射される状況であると判定された場合に、運転者の運転に関する操作を除いて、運転者の手が差し出されたことを検知することができるまで、非接触式センサの検知エリアを大きくすることが好ましい。このようにすることにより、車室内のルーフライニングに向けて、運転者の手が差し出されたことによって、スライド式バイザを収納位置からスライド駆動させることができる。
【００１０】
請求項３に記載したように、判定手段は、車両の現在位置、及び進行方向を示す方位を含む車両位置情報を検出する車両位置情報検出手段と、日付及び時刻に応じて変化する太陽位置を表わす太陽位置情報が記憶されている太陽位置情報記憶手段と、太陽位置情報記憶手段から現在の日付及び時刻に対応した太陽位置情報を抽出し、抽出された太陽位置情報と車両位置情報とに基づき、車両に対する太陽光の入射方向を算出する入射方向算出手段とを有し、算出された入射方向に基づいて、太陽光が、フロントガラスの上部に入射される状況であるか否かを判定することが好ましい。このようにすることにより、太陽光が、フロントガラスの上部に入射される状況であるか否かを判定することができる。
【００１１】
請求項４に記載したように、日射量を検出する日射センサと、検出された日射量が所定量以下である場合、エリア可変手段に対して、非接触式センサの検知エリアを大きくすることを中止させる中止手段とを備えることもできる。日射量が所定量以下である場合、運転者は眩しくないと感じることが考えられる。このため、非接触式センサの検知エリアを大きくすることを中止させる。
【００１２】
請求項５に記載したように、エリア可変手段によって非接触式センサの検知エリアを大きくしてからの経過時間をカウントするカウント手段を備え、カウントされた経過時間が所定時間に達した場合、エリア可変手段は、非接触式センサの検知エリアを小さくすることが好ましい。誤動作防止のためである。
【００１３】
請求項６に記載したように、エリア可変手段は、非接触式センサの検知エリアを徐々に小さくすることもできる。これにより、所定時間経過した場合であっても、運転者の体の一部が検知エリア内に差し出されたことを検知することができる。
【００１４】
請求項７に記載したように、所定時間は、運転者によって変更可能に構成されていることもできる。これにより、運転者は、所定時間を所望する時間に設定することができる。
【００１５】
請求項８に記載したように、非接触式センサの検知エリアの大きさは、運転者によって変更可能に構成されていても良い。これにより、運転者は、非接触式センサの検知エリアの大きさを所望する大きさに変更することができる。
【００１６】
請求項９に記載したように、車両の走行時に、駆動手段によってスライド式バイザがスライド駆動された時点において、車両が走行する道路を記憶する記憶手段を備え、記憶手段に記憶されている道路に基づいて、スライド式バイザをスライド駆動させる頻度の高い道路とみなされる場合、太陽光がフロントガラスの上部に入射される状況であると判定された場合と比べて、所定時間を長く、かつ／または非接触式センサの検知エリアを更に大きくしても良い。スライド式バイザをスライド駆動させる頻度の高い道路では、スライド式バイザをスライド駆動させる可能性が高い。このため、所定時間を長く、かつ／または非接触式センサの検知エリアを更に大きくしても良い。
【００１７】
請求項１０に記載したように、エリア可変手段によって非接触式センサの検知エリアが大きくされた場合、非接触式センサの検知エリアが大きくなっている旨を報知する報知手段を備えることもできる。これにより、運転者は、非接触式センサの検知エリアが大きくなっていることを把握することができる。
【００１８】
請求項１１に記載したように、非接触式センサの位置は、運転者によって移動可能に構成することができる。これにより、運転者毎に、非接触式センサを適切な位置に移動させることができる。
【００１９】
請求項１２に記載したように、非接触式センサは、赤外線センサまたは超音波センサのいずれかであることが好ましい。非接触式センサとして、赤外線センサまたは超音波センサのいずれかを用いることによって、運転者の体の一部を検知することができる。
【００２０】
請求項１３に記載したように、駆動手段によってスライド式バイザが収納位置からスライド駆動された場合、スライド式バイザは、運転者によって収納位置に戻されることが好ましい。これにより、スライド駆動されたスライド式バイザを収納位置に戻すことができる。
【発明を実施するための最良の形態】
【００２１】
以下、本発明の好ましい実施形態について図面を参照して説明する。図１は、本実施形態によるバイザ制御装置１００の概略構成を示すブロック図である。以下、本実施形態によるバイザ制御装置１００について詳細に説明する。
【００２２】
図１に示すように、バイザ制御装置１００は、ナビゲーション装置１０、記憶装置２０、赤外線センサ３０、コンピュータ４０、スライド式バイザ５０、スライド駆動器６０、及び収納位置検出センサ７０を備えている。
【００２３】
コンピュータ４０は、内部には周知のＣＰＵ、ＲＯＭ、ＲＡＭ、Ｉ／Ｏ及びこれらの構成を接続するバスラインを備えている。ＲＯＭには、コンピュータ４０が実行するためのプログラムが書き込まれており、このプログラムに従ってＣＰＵ等が所定の演算処理を実行する。
【００２４】
ナビゲーション装置１０は、周知のごとく、自車両の現在位置を検出して、自車両周辺の地図を表示する地図表示機能、周辺施設の検索を行う周辺施設検索機能、目的地までの経路を案内する経路案内機能等の各種機能を実行する装置である。
【００２５】
このナビゲーション装置１０は、いずれも図示しない位置検出器、地図データ入力器等を備えている。このうち、位置検出器は、いずれも周知の地磁気センサ、ステアリングセンサ、車速センサ、及び衛星からの電波に基づいて車両の位置を検出するＧＰＳ（Global Positioning System）のためのＧＰＳ受信機を有している。これらは、各々が性質の異なる誤差を持っているため、複数のセンサにより各々補完しながら使用するように構成されている。なお、各センサの精度によっては位置検出器を上述した内の一部で構成してもよい。なお、ＧＰＳ受信機が受信した電波には、時刻補正、エフェメリス・アルマナック等の各種データが含まれている。
【００２６】
地図データ入力器は、地図データを入力するための装置である。この地図データを記憶する記憶媒体としては、そのデータ量からＣＤ−ＲＯＭやＤＶＤ−ＲＯＭ等が用いられるが、メモリカードやハードディスク等の書き込み可能な記憶媒体を用いてもよい。ここで、地図データの詳細について説明する。
【００２７】
地図データは、主にリンクデータとノードデータによって構成される。このリンクデータのリンクとは、地図上の各道路を交差・分岐・合流する点等の複数のノードにて分割し、それぞれのノード間をリンクとして規定するものであり、各リンクを接続することにより道路が構成される。リンクデータは、リンクを特定する固有番号（リンクＩＤ）、リンクの長さを示すリンク長、リンクの始端及び終端ノード座標（緯度・経度）、道路名称、道路幅員、制限速度等の各データから構成される。
【００２８】
さらに、ノードデータは、地図上の各道路が交差、合流、分岐するノード毎に固有の番号を付したノードＩＤ、ノード座標、ノード名称、ノードに接続する全てのリンクのリンクＩＤが記述される接続リンクＩＤ、交差点種類等の各データから構成されている。
【００２９】
記憶装置２０は、入射方向演算時に必要な太陽位置を表す太陽位置情報を記憶している。この太陽位置情報は、太陽位置が、日付及び時刻に応じて変化することから、日付及び時刻を変数として各日・時毎に太陽位置を設定した太陽位置情報検索用のマップ（太陽位置情報マップ）として記憶装置２０に記憶されている。
【００３０】
なお、本実施形態では、太陽位置情報は、太陽が真東Ｅに対して右方向に何度回転しているかを表わす方位データＸと、仰角を表わす仰角データＹとから構成されている（図２参照）。図２において、Ｅ、Ｗ、Ｓ、Ｎは、それぞれ、車両を中心とする東、西、南、北の方位を表わしている。
【００３１】
また、記憶装置２０は、車両に設けられたフロントガラスの上部の位置情報を記憶している。具体的には、図３の例に示すように、乗員の目の位置を原点Oとして太陽がくると眩しくなるフロントガラスの位置の４隅を示す４点Ｘ１、Ｘ２、Ｘ３、Ｘ４を、フロントガラスの上部の位置情報として原点Oと共に記憶している。
【００３２】
赤外線センサ３０は、赤外線を照射し、その反射光を検出するものである。例えば、発光素子（ＬＥＤ）が赤外線を照射し、その反射光を受光素子（フォトダイオード）が受光する。
【００３３】
なお、本実施形態では、車両において、太陽光が、フロントガラスの上部に入射される状況であるか否かが判定され（この判定方法については、後に詳しく説明する）、太陽光がフロントガラスの上部に入射される状況であると判定された場合、そのような状況ではないと判定された場合に比較して、コンピュータ４０からの可変信号に従って、赤外線センサ３０の検知エリア（赤外線を照射する範囲）が大きくなる。
【００３４】
具体的には、例えば、図６に示すように、赤外線センサ３０は、車室内のルーフライニングに設けられたものであり、検知エリア（小）は、運転者の運転に関する操作を除いて、運転者の手が差し出されたことを検知不可能な大きさである。また、検知エリア（大）は、運転者の運転に関する操作を除いて、運転者の手が差し出されたことを検知することができるまで、大きくされたものである。
【００３５】
スライド式バイザ５０は、不透明なものであり、車両のフロントガラスの上部を太陽光が通過して車室内への入射を遮るためのものである。また、車両のフロントガラスの上部の内側に、運転席側と助手席側との両方に１枚ずつ設けられている。このスライド式バイザ５０は、車両の天井部に格納されてフロントガラスの上部を覆わない収納位置から、車両のフロントガラスの上部を車内から覆う遮光位置へスライド移動する。
【００３６】
スライド駆動器６０は、電動モータを用いて構成することができる。この電動モータとコンピュータ４０を接続し、コンピュータ４０からの駆動信号に基づいて、電動モータを作動させる。そして、この電動モータに、モータの回転力によってスライドするようスライド式バイザ５０を連結する。
【００３７】
収納位置検出センサ７０は、スライド式バイザ５０が収納位置に位置していることを検出するためのものである。なお、本実施形態では、収納位置検出センサ７０として、リミットスイッチを用いる。
【００３８】
上述の構成を備えることにより、本実施形態によるバイザ制御装置は、太陽光がフロントガラスの上部に入射される状況であると判定された場合、赤外線センサ３０の検知エリアが検知エリア（小）から検知エリア（大）になる。この検知エリア（大）において、スライド式バイザをスライド駆動させるために、運転者の体の一部（手）が差し出され、かつスライド式バイザ５０が収納位置にある場合、コンピュータ４０からの駆動信号に基づいて、スライド式バイザ５０をスライド駆動させることができる。
【００３９】
なお、本実施形態では、スライド式バイザ５０が遮光位置にある場合、運転者によってスライド式バイザ５０を押し戻させることによって、スライド式バイザ５０を遮光位置から収納位置に移動させることができる。これにより、遮光位置にあるスライド式バイザ５０を収納位置に戻すことができる。
【００４０】
次に、本実施形態におけるバイザ制御装置１００のスライド駆動処理について、図５のフローチャートを用いて詳細に説明する。図５は、スライド駆動処理のメインルーチンを示すフローチャートである。
【００４１】
まず、図５のステップＳ１０では、ナビゲーション装置１０が車両の現在位置を検出する。このとき、ＧＰＳ受信機（図示せず）による位置データは、上述の道路データの座標データ（緯度と経度）と同じ形態で取得される。また、地磁気センサ（図示せず）、ステアリングセンサ（図示せず）、車速センサ（図示せず）によって車両の進行方向及び走行距離に関するデータが取得され、過去に算出、もしくは確定された車両位置を基準として、現在位置の座標データの算出を行なう（自立航法による座標データの算出）。なお、現在位置は、基本的には、自立航法により算出された座標データに基づいて求められる。ただし、ＧＰＳ受信機による位置データが取得されている場合には、両者を比較し、その差が所定距離以上である場合には、現在位置として、ＧＰＳ受信機による位置データを採用する。
【００４２】
ステップＳ２０では、現在の日付及び時刻が算出される。具体的には、ＧＰＳ受信機（図示せず）が受信した電波に含まれている時刻補正データに基づいて、コンピュータ４０が現在の日付及び時刻を算出する。
【００４３】
ステップＳ３０では、ステップＳ１０にて現在位置の座標データを算出する際に用いた進行方向データから車両の進行方向Ｘ′を検出する。なお、この進行方向Ｘ′は、マップマッチングによって車両の現在位置が道路上に確定されたときに、車両の走行軌跡の向きから検出しても良い。車両の進行方向Ｘ′は、現在の車両の直進方向の向き（方位）を表わすものであるが、本実施形態では、上述した方位データＸと同様、進行方向が真東Ｅに対して、右方向に何度回転しているかを表わすものとする。
【００４４】
ステップＳ４０では、太陽光の入射方向が算出される。具体的には、例えば、コンピュータ４０が記憶装置２０に記憶された太陽位置情報マップを検索することにより、現在の日付及び時刻に対応した太陽位置情報（Ｘ、Ｙ）を抽出する。次に、コンピュータ４０は、この抽出した太陽位置情報（Ｘ、Ｙ）と、車両の進行方向Ｘ′とに基づき、車両に対する太陽光の入射方向を算出する。
【００４５】
なお、入射方向は、車両の左右方向に対する太陽光の左右入射角φと、車両の上下方向に対する太陽光の仰角θとからなり、左右入射角φは、演算式「φ＝Ｘ−Ｘ′」を用いて算出され、仰角θには、記憶装置２０から抽出された仰角データＹがそのまま設定される。
【００４６】
ステップＳ５０では、記憶装置２０からフロントガラスの上部の位置情報と原点Ｏが抽出される。ステップＳ６０では、入射方向（φ、θ）に基づいて、太陽光がフロントガラスの上部に入射される状況であるか否かを判定する。具体的には、例えば、入射方向（φ、θ）に基づいて、太陽光を直線の式で表わす。以後、この直線の式を直線Ａと呼ぶ。また、フロントガラスの上部を、フロントガラスの上部の４点Ｘ１、Ｘ２、Ｘ３、Ｘ４を結び平面の式で表わす。以後、この平面の式を平面Ａと呼ぶ。図４に示すように、太陽光がフロントガラスの上部に入射される状況であるか否かという問題は、平面Ａと交わる直線Ａがさらに原点Ｏと交わるか否かという問題と同値である。
【００４７】
すなわち、ステップＳ６０では、平面Ａと交わる直線Ａがさらに原点Ｏと交わるか否かを判定する。このようにすることにより、太陽光が、フロントガラスの上部に入射される状況であるか否かを判定することができる。直線Ａと平面Ａとが交わらないと判定された場合、ステップＳ１０に戻る。一方、直線Ａと平面Ａとが交わると判定された場合、ステップＳ７０に進む。
【００４８】
ステップＳ７０では、赤外線センサ３０の検知エリアが検知エリア（小）から検知エリア（大）になる。具体的には、例えば、コンピュータ４０からの可変信号に従って、検知エリア（小）から検知エリア（大）になる。
【００４９】
ステップＳ８０では、コンピュータ４０は、赤外線センサ３０の検知エリアが検知エリア（小）から検知エリア（大）になってからの経過時間のカウントを開始または継続する。ステップＳ９０では、検知エリア（大）において、運転者の手が差し出されたか否かを判定する。具体的には、例えば、赤外線センサ３０の発光素子から赤外線が照射され、その照射された赤外線が運転者の手に反射し、その反射光を受光素子が受光したか否かを判定する。
【００５０】
ステップＳ９０において、反射光を受光素子が受光したと判定された場合、ステップＳ１００に進む。ステップＳ１００では、スライド式バイザ５０が収納位置にあるか否かを判定する。具体的には、例えば、収納位置検出センサ７０として用いられているリミットスイッチがＯＮであるか否かを判定する。リミットスイッチがＯＮでないと判定された場合、ステップＳ１０に戻る。一方、リミットスイッチがＯＮであると判定された場合、ステップＳ１１０に進む。
【００５１】
ステップＳ１１０では、スライド式バイザ５０がスライド駆動される。具体的には、コンピュータ４０からの駆動信号に基づいて、スライド駆動器６０として用いられる電動モータを作動させ、この作動された電動モータの回転力によって、スライド式バイザ５０が遮光位置までスライド駆動される。このようにすることにより、車室内のルーフライニングに向けて、運転者の手が差し出されたことによって、スライド式バイザ５０を収納位置からスライド駆動させることができる。
【００５２】
ステップＳ９０において、反射光を受光素子が受光しなかったと判定された場合、ステップＳ１２０に進む。ステップＳ１２０では、ステップＳ８０にてカウントされた経過時間が所定時間に達したか否かを判定する。所定時間に達していないと判定された場合、ステップＳ８０に戻る。一方、所定時間に達したと判定された場合、ステップＳ１３０に進む。
【００５３】
ステップＳ１３０では、赤外線センサ３０の検知エリアが検知エリア（大）から検知エリア（小）になる。具体的には、例えば、コンピュータ４０からの可変信号に従って、検知エリア（大）から検知エリア（小）になる。これは、誤動作防止のためである。
【００５４】
以上、説明したように本実施形態によれば、赤外線センサ３０が、運転者の体の一部（手）が検知エリア内に差し出されたことを検知したことに基づいて、スライド式バイザ５０を収納位置からスライド駆動させる。そして、太陽光が、フロントガラスの上部に入射される状況である場合、そのような状況ではない場合に比較して、赤外線センサ３０の検知エリアを大きくする。この結果、赤外線センサ３０の検知エリア（大）に、運転者の体の一部（手）を差し出すことによって、スライド式バイザ５０を収納位置からスライド駆動させることができる。これにより、運転者の意思を考慮するとともに、容易に、スライド式バイザを収納位置からスライド駆動させることができる。
【００５５】
なお、本発明は、上述した実施形態になんら制限されることなく、本発明の主旨を逸脱しない範囲において、種々変形して実施することができる。
【００５６】
例えば、上述した実施形態においては、太陽光が、フロントガラスの上部に入射される状況であると判定された場合、常時、赤外線センサ３０の検知エリアが検知エリア（小）から検知エリア（大）になる例について説明した。しかしながら、日射量を検出する日射センサ（図示せず）を設け、この日射センサが検出した日射量が所定量以下である場合、赤外線センサ３０の検知エリアが検知エリア（小）から検知エリア（大）に変更することを中止させても良い。日射量が所定量以下である場合、運転者は眩しくないと感じることが考えられる。このため、赤外線センサ３０の検知エリアを大きくすることを中止させる。
【００５７】
また、上述した実施形態では、赤外線センサ３０の検知エリアが検知エリア（小）から検知エリア（大）になってからの経過時間が所定時間に達した場合、赤外線センサ３０の検知エリアの大きさを即座に検知エリア（大）から検知エリア（小）に変更する例について説明した。しかしながら、赤外線センサ３０の検知エリアの大きさを検知エリア（大）から徐々に小さくして検知エリア（小）にしても良い。これにより、所定時間経過した場合であっても、運転者の体の一部（手）が検知エリア内に差し出されたことを検知することができる。
【００５８】
さらに、上述した実施形態では、所定時間が予め設定されている例について説明した。しかしながら、所定時間を運転者が変更できるようにしても良い。これにより、運転者は、所定時間を所望する時間に設定することができる。
【００５９】
また、上述した実施形態では、赤外線センサ３０の検知エリア（小、大）の大きさが予め設定されている例について説明した。しかしながら、赤外線センサ３０の検知エリア（小、大）の大きさを運転者が変更できるようにしても良い。これにより、運転者は、赤外線センサ３０の検知エリア（小、大）の大きさを所望する大きさに変更することができる。
【００６０】
さらに、上述した実施形態では、運転者がスライド式バイザ５０をスライド駆動させたことがある道路か否かに係らず、赤外線センサ３０の検知エリアが（大）である所定時間、及び赤外線センサ３０の検知エリア（大）の大きさが常に同一であった。しかしながら、運転者が頻繁にスライド式バイザ５０をスライド駆動させる道路であれば、太陽光がフロントガラスの上部に入射される状況であると判定された場合と比べて、赤外線センサ３０の検知エリアが（大）である所定時間を長く、かつ／または赤外線センサ３０の検知エリア（大）の大きさを更に大きくすることもできる。
【００６１】
具体的には、例えば、ナビゲーション装置１０において、運転者がスライド式バイザ５０をスライド駆動させる場合、スライド駆動させた道路をデジタル地図データを用いて識別し、そのスライド駆動させた道路を示す情報を、例えば、外部メモリ（図示せず）に記憶しておく。そして、車両走行時には、その外部メモリの記憶内容を参照して、車両が走行している道路が、スライド駆動回数が所定回数以上であるか否かを判定する。所定回数以上であると判定された場合、運転者が頻繁にスライド式バイザ５０をスライド駆動させる道路であると判定し、太陽光がフロントガラスの上部に入射される状況であると判定された場合と比べて、赤外線センサ３０の検知エリアが（大）である所定時間を長く、かつ／または赤外線センサ３０の検知エリア（大）の大きさを更に大きくする。
【００６２】
このように、スライド式バイザ５０をスライド駆動させる頻度の高い道路では、スライド式バイザ５０をスライド駆動させる可能性が高い。このため、所定時間を長く、かつ／または赤外線センサ３０の検知エリア（大）の大きさを更に大きくしても良い。
【００６３】
また、上述した実施形態では、赤外線センサ３０の検知エリアが（大）である場合、運転者に報知しない例について説明した。しかしながら、赤外線センサ３０の検知エリアが（大）である場合、運転者に報知しても良い。これにより、運転者は、赤外線センサ３０の検知エリアが大きくなっていることを把握することができる。
【００６４】
具体的には、例えば、コンピュータ４０は、ナビゲーション装置１０に設けられた表示部（図示せず）に、メッセージ「ただいま、検知エリア（大）です。」を表示する。
【００６５】
また、例えば、コンピュータ４０は、ナビゲーション装置１０に設けられた音声出力部（図示せず）を介して、メッセージ「ただいま、検知エリア（大）です。」を音声にて案内しても良い。
【００６６】
さらに、例えば、コンビネーションメータにおいて、コンピュータ４０は、検知エリア（大）であることを示す表示灯（インジケータランプ）を表示しても良い。
【００６７】
さらに、上述した実施形態では、赤外線センサ３０が予め固定されている例について説明した。しかしながら、赤外線センサ３０の位置を運転者が変更できるようにしても良い。これにより、運転者毎に、赤外線センサ３０を適切な位置に移動させることができる。
【００６８】
また、上述した実施形態では、非接触式センサとして、赤外線センサ３０を用いる例について説明した。しかしながら、非接触式センサとして、超音波センサを用いても良い。非接触式センサとして、赤外線センサ３０または超音波センサのいずれかを用いることによって、運転者の体の一部を検知することができる。
【図面の簡単な説明】
【００６９】
【図１】本実施形態によるバイザ制御装置１００の概略構成を示すブロック図である。
【図２】本実施形態における、太陽光の入射方向を説明するための説明図である。
【図３】本実施形態における、車両のフロントガラスの上部の位置情報を説明するための説明図である。
【図４】本実施形態における、車両のフロントガラスの上部に太陽光が入射する可能性があるか否かの判定方法を説明するための説明図である。
【図５】本実施形態における、スライド駆動処理のメインルーチンを示すフローチャートである。
【図６】本実施形態における、赤外線センサ３０の検知エリアを説明するための説明図である。
【符号の説明】
【００７０】
１０…ナビゲーション装置
２０…記憶装置
３０…赤外線センサ
４０…コンピュータ
５０…スライド式バイザ
６０…スライド駆動器
７０…収納位置検出センサ
【図１】
0004544082.tif 000002
【図２】
0004544082.tif 000003
【図３】
0004544082.tif 000004
【図４】
0004544082.tif 000005
【図５】
0004544082.tif 000006
【図６】
0004544082.tif 000007